(57)【特許請求の範囲】
【請求項１】
バネ用鋼線（１）を内部に含むサポータ主体部（８，９，１０）を備え、身体に巻き付けて装着することにより加圧と指圧とストレッチができるサポータであって、
前記サポータを身体に巻きつけて装着することにより、前記バネ用鋼線（１）の高弾性が筋肉や腱に加圧効果を与えて、筋肉や腱が外側に押し出されることを抑制し、
前記サポータを身体に巻きつけて装着した状態で身体を動かすことにより、前記バネ用鋼線（１）の高弾性による刺激が筋肉や腱に指圧効果を与えて、筋肉や腱のこりをほぐし、
前記サポータを身体にらせん状に巻きつけて装着することにより、前記バネ用鋼線（１）が戻ろうとする力により、筋肉や腱にストレッチ効果を与えて、筋肉や腱が縮むことを抑制することを特徴とする、加圧と指圧とストレッチができるサポータ（１１，１２，１３，１４）。
【請求項２】
請求項１に記載の加圧と指圧とストレッチができるサポータにおいて、
前記サポータ主体部（８）は、「前記バネ用鋼線（１）として１本又は複数本のバネ用鋼線を衝撃吸収材（２）で覆った複合バネ構造（４）」の１本又は複数本をさらに弾性素材（７）で覆った構造を有することを特徴とする、加圧と指圧とストレッチができるサポータ（１１）。
【請求項３】
請求項１に記載の加圧と指圧とストレッチができるサポータにおいて、
前記サポータ主体部（９）は、「前記バネ用鋼線（１）として１本又は複数本のバネ用鋼線をチューブ部材（３）に通した後、衝撃吸収材（２）で覆った複合バネ構造（５）」の１本又は複数本をさらに弾性素材（７）で覆った構造を有することを特徴とする、加圧と指圧とストレッチができるサポータ（１２，１３）。
【請求項４】
請求項１に記載の加圧と指圧とストレッチができるサポータにおいて、
前記サポータ主体部（１０）は、「前記バネ用鋼線（１）として１本又は複数本のバネ用鋼線をチューブ部材（３）に通した複合バネ構造（６）」の１本又は複数本をさらに弾性素材（７）で覆った構造を有することを特徴とする、加圧と指圧とストレッチができるサポータ（１４）。
【請求項５】
請求項２から４に記載の加圧と指圧とストレッチができるサポータにおいて、
前記サポータ主体部（８、９、１０）の一端側に取り付けられた、「リング状部材（１８ａ）」、「サスペンダークリップ（２５）」、「裏面にループとフック二つの機能を有する面ファスナー（１７）が配設された伸縮性ベルト（１９）」、「除々に縮径するリング状部材（１８ａ）」又は「弾性素材によるリング状部材（１８ｂ）」のいずれかと、
「前記サポータ主体部（８、９、１０）の他端側に取り付けられた伸縮性ベルト（１９）及び当該伸縮性ベルト（１９）とともに使用するクリップ（２１）」、「前記サポータ主体部（８、９、１０）の他端側に取り付けられ、裏面にツメ止具（２０）が配設された伸縮性ベルト（１９）」、「前記サポータ主体部（８、９、１０）の他端側に取り付けられた伸縮性ベルト（１９）及び当該伸縮性ベルト（１９）とともに使用する『裏面にループとフック二つの機能を有する面ファスナー（１７）が配設されたテープ状止具（２４）』」又は「前記サポータ主体部（８、９、１０）の他端側に取り付けられ、裏面にループとフック二つの機能を有する面ファスナー（１７）が配設された伸縮性ベルト（１９）」のいずれかとをさらに備えることを特徴とする、加圧と指圧とストレッチができるサポータ（１１，１２，１３，１４）。
【請求項６】
請求項２〜５のいずれかに記載の加圧と指圧とストレッチができるサポータにおいて、
前記弾性素材（７）が面ファスナーからなることを特徴とする、加圧と指圧とストレッチができるサポータ（１１，１２，１３，１４）。
【請求項７】
請求項６に記載の加圧と指圧とストレッチができるサポータにおいて、
前記面ファスナーが非伸縮性ループ状面ファスナーであることを特徴とする、加圧と指圧とストレッチができるサポータ（１１，１２，１３，１４）。
【請求項８】
請求項１〜７のいずれかに記載の加圧と指圧とストレッチができるサポータにおいて、
痛みやこりが強い箇所に装着し圧力を調整するための、衝撃吸収材（２）及び弾性素材（２２）入りのパット（２３）をさらに備えることを特徴とする、加圧と指圧とストレッチができるサポータ。
【発明の詳細な説明】
【技術分野】
【０００１】  本発明は、弱った筋肉や筋肉疲労による、身体の痛み、ゆがみ、関節の変形を改善．予防することを目的として、スポーツや医療にとどまらず、日常全般に使用する加圧と指圧とストレッチができるサポータに関する。
【背景技術】
【０００２】  身体を動かすほとんどの大きな筋肉は、腱を仲介として骨に接着し身体を動かしているため、身体の痛みやこりは、神経や腱に沿って起きている。また、身体はてこのように、一度に多くの筋肉を使いながら動いているため、痛みやこりを解決するには、痛みやこりに関わる多くの筋肉や腱の緊張をとる必要がある。また、痛みは筋肉や腱が緊張して縮み、神経を圧迫することにより起こるため、筋肉や腱が縮むことを防ぐ必要もある。【０００３】  そこで、幅広く適用箇所を選ばずサポートできるサポータとして、伸縮タイプの１本の帯状のサポータが考えられ開示されている（例えば特許文献１参照。）。【０００４】  また、面ファスナーで覆い、弾性素材からなるサポータ主体部を設け、加圧ができるバンドが開示されている（例えば特許文献２参照。）。【０００５】  また、膝の曲げに対する反発力としてコイルバネを適用し、衝撃吸収材（円筒状布・の一部を二重編としたものや二枚の布を重ね合わせたもの）で覆うサポータが開示されている（例えば特許文献３参照。）。【０００６】  また、補整機能、補正機能を発揮させるためにバネ用鋼線をチューブ部材に通すボーンが開示されている（例えば特許文献４参照。）。【０００７】  また、ツボ指圧効果を奏することを目的として、形状記憶した加圧用ばね作動部材と、拘束部材と、押圧部材を複数使用する膝カバーばね部材が開示されている（例えば特許文献５参照。）。
【先行技術文献】
【特許文献】
【０００８】
【特許文献１】特開２００５−１６３２０９号公報
【特許文献２】特開２０１０−２５９６２２号公報
【特許文献３】登録実用新案第３０１５１４０号公報
【特許文献４】特開２００５−８９８７９号公報
【特許文献５】特開２０１２−５５４１４号公報
【発明の概要】
【発明が解決しようとする課題】
【０００９】  しかしながら、引用文献１に記載のサポータは、全身に対応できるサポータではあるが平面的なサポータであるため、筋肉の奥深くにたまった疲労物質によるこりを和らげることはできず、また、関節や筋肉にかかる負担を軽減するなどのサポート力も弱いという問題がある。【００１０】  また、引用文献２のバンドは、加圧ができるバンドであるが、弾性素材のみからなるサポータのため、筋肉の奥深くにたまった疲労物質によるこりを和らげたりすることはできないという問題がある。また、幅広く関節や筋肉にかかる負担を軽減しつつ、こりを和らげ、筋肉や腱が縮むことを防止できないという問題もある。【００１１】  また、引用文献３のサポータは、膝にかかる負担を軽減する為、膝の長手方向に沿うようバネが配設されているが、膝の不調は腰椎から足の指先までつながる神経の一部が、筋肉や腱の緊張により圧迫され起こるため、膝の不調に関わる筋肉や腱の緊張も和らげることができないという問題がある。また、幅広く関節や筋肉にかかる負担を軽減しつつ、こりを和らげ、筋肉や腱が縮むことを防止できないという問題もある。【００１２】  また、引用文献４の、伸びる部分を持ったボーンは、ボーン本来のアップリフト効果をより高めたり、補整機能、補正機能を発揮させたりするために入れているものであるため、筋肉の奥深くにたまった疲労物質によるこりを和らげることや、筋肉や腱の緊張を和らげることができないという問題がある。また、幅広く関節や筋肉にかかる負担を軽減しつつ、こりを和らげ、筋肉や腱が縮むことを防止できないという問題もある。【００１３】  また、引用文献５の、膝カバーばね部材は、ツボを的確に押圧して、ツボ指圧効果を奏することを目的としているが、膝を伸ばすか曲げるかいずれかの状態を形状記憶させた、複数の拘束部材を使用するため、幅広い部位の筋肉や腱のこりを和らげつつ、関節や筋肉にかかる負担を軽減させ、筋肉や腱が縮むことを防止できないという問題もある。【００１４】  そこで、本発明は、上記した問題を解決するためになされたもので、こりを和らげ、関節にかかる負担を軽減させるとともに筋肉を鍛え、痛みや身体のゆがみ、関節の変形を改善・予防可能とするサポータを提供することを目的とする。そして、バネ用鋼線を内部に含むサポータ主体部を備えるサポータを身体に巻きつけて装着することにより、バネ用鋼線の高弾性が筋肉や腱に加圧効果を与えて、筋肉や腱が外側に押し出されることを抑制し、当該サポータを身体に巻きつけて装着した状態で身体を動かすことにより、バネ用鋼線の高弾性による刺激が筋肉や腱に指圧効果を与えて、筋肉や腱のこりをほぐし、当該サポータを身体にらせん状に巻きつけて装着した際に、バネ用鋼線が戻ろうとする力により、筋肉や腱にストレッチ効果を与えて、筋肉や腱が縮むことを抑制することが可能なサポータを提供することをも目的とする。
【課題を解決するための手段】
【００１５】［１］本発明の加圧と指圧とストレッチができるサポータ（１１，１２，１３，１４）は、バネ用鋼線（１）を内部に含むサポータ主体部（８，９，１０）を備え、身体に巻き付けて装着することにより加圧と指圧とストレッチができるサポータであって、前記サポータを身体に巻きつけて装着することにより、前記バネ用鋼線（１）の高弾性が筋肉や腱に加圧効果を与えて、筋肉や腱が外側に押し出されることを抑制し、前記サポータを身体に巻きつけて装着した状態で身体を動かすことにより、前記バネ用鋼線（１）の高弾性による刺激が筋肉や腱に指圧効果を与えて、筋肉や腱のこりをほぐし、前記サポータを身体にらせん状に巻きつけて装着することにより、前記バネ用鋼線（１）が戻ろうとする力により、筋肉や腱にストレッチ効果を与えて、筋肉や腱が縮むことを抑制することを特徴とする。【００１６】［２］本発明の加圧と指圧とストレッチができるサポータ（１１）においては、前記サポータ主体部（８）は、「前記バネ用鋼線（１）として１本又は複数本のバネ用鋼線を衝撃吸収材（２）で覆った複合バネ構造（４）」の１本又は複数本をさらに弾性素材（７）で覆った構造を有することが好ましい。【００１７】［３］本発明の加圧と指圧とストレッチができるサポータ（１２，１３）においては、前記サポータ主体部（９）は、「前記バネ用鋼線（１）として１本又は複数本のバネ用鋼線をチューブ部材（３）に通した後、衝撃吸収材（２）で覆った複合バネ構造（５）」の１本又は複数本をさらに弾性素材（７）で覆った構造を有することが好ましい。【００１８】［４］本発明の加圧と指圧とストレッチができるサポータ（１４）においては、前記サポータ主体部（１０）は、「前記バネ用鋼線（１）として１本又は複数本のバネ用鋼線をチューブ部材（３）に通した複合バネ構造（６）」の１本又は複数本をさらに弾性素材（７）で覆った構造を有することが好ましい。【００１９】［５］本発明の加圧と指圧とストレッチができるサポータ（１１，１２，１３，１４）は、前記サポータ主体部（８、９、１０）の一端側に取り付けられた、「リング状部材（１８ａ）」、「サスペンダークリップ（２５）」、「裏面にループとフック二つの機能を有する面ファスナー（１７）が配設された伸縮性ベルト（１９）」、「除々に縮径するリング状部材（１８ａ）」又は「弾性素材によるリング状部材（１８ｂ）」のいずれかと、「前記サポータ主体部（８、９、１０）の他端側に取り付けられた伸縮性ベルト（１９）及び当該伸縮性ベルト（１９）とともに使用するクリップ（２１）」、「前記サポータ主体部（８、９、１０）の他端側に取り付けられ、裏面にツメ止具（２０）が配設された伸縮性ベルト（１９）」、「前記サポータ主体部（８、９、１０）の他端側に取り付けられた伸縮性ベルト（１９）及び当該伸縮性ベルト（１９）とともに使用する『裏面にループとフック二つの機能を有する面ファスナー（１７）が配設されたテープ状止具（２４）』」又は「前記サポータ主体部（８、９、１０）の他端側に取り付けられ、裏面にループとフック二つの機能を有する面ファスナー（１７）が配設された伸縮性ベルト（１９）」のいずれかとをさらに備えることが好ましい。【００２０】［６］本発明の加圧と指圧とストレッチができるサポータ（１１，１２，１３，１４）においては、前記弾性素材（７）が面ファスナーからなることが好ましい。【００２１】［７］本発明の加圧と指圧とストレッチができるサポータ（１１，１２，１３，１４）においては、前記面ファスナーが非伸縮性ループ状面ファスナーであることが好ましい。【００２２】［８］本発明の加圧と指圧とストレッチができるサポータは、痛みやこりが強い箇所に装着し圧力を調整するための、衝撃吸収材（２）及び弾性素材（２２）入りのパット（２３）をさらに備えることが好ましい。
【発明の効果】
【００２３】  ［１］本発明の加圧と指圧とストレッチができるサポータによれば、サポータを身体に巻きつけて装着することにより、バネ用鋼線（１）の高弾性が筋肉や腱に加圧効果を与えて、筋肉や腱が外側に押し出されることを抑制し、サポータを身体に巻きつけて装着した状態で身体を動かすことにより、前記バネ用鋼線（１）の高弾性による刺激が筋肉や腱に指圧効果を与えて、筋肉や腱のこりをほぐし、サポータを身体にらせん状に巻きつけて装着することにより、バネ用鋼線（１）が戻ろうとする力により、筋肉や腱にストレッチ効果を与えて、筋肉や腱が縮むことを抑制することができるようになる。【００２４】本発明の加圧と指圧とストレッチができるサポータは、バネ用鋼線（１）の高弾性が筋肉や腱に加圧効果を与えて、体の関節周辺のいたるところにある、筋肉や腱が外側に押し出されないように機能する支帯の役割と同じく、筋肉や腱が外側に押し出されることを抑制し、同時に関節や筋肉にかかる負担を軽減することが可能で、バネ用鋼線（１）の高弾性を内部に含むサポータを身体に巻きつけて装着した状態で身体を動かすことにより、バネ用鋼線（１）の刺激で、筋肉や腱にたまった疲労物質によるこりをほぐして、筋肉や腱のこりによる痛みを和らげることが可能で、サポータを手首の手前から手の先のように、身体を伸ばしたい方向に向け、らせん状に巻き付けて装着することにより、バネ用鋼線（１）が戻ろうとする力が手首などの関節にかかり、筋肉や腱にストレッチ効果を与えて、腱や筋肉が縮むことを抑制することができるようになる。【００２５】［２］本発明の加圧と指圧とストレッチができるサポータ（１１）によれば、サポータ主体部（８）が、「バネ用鋼線（１）として１本又は複数本のバネ用鋼線を衝撃吸収材（２）で覆った複合バネ構造（４）」の１本又は複数本をさらに弾性素材（７）で覆った構造を有することから、高弾性を備えたバネ用鋼線（１）を衝撃吸収材（２）で覆うことで、皮膚に当てたときの感触が指先の骨のようになるため、前記サポータを身体に巻きつけて装着した状態で身体を動かすことにより、バネ用鋼線（１）の刺激が指圧効果となり、筋肉や腱のこりに働きかけると同時に、バネ用鋼線（１）の高弾性が加圧効果となり、強力に関節をサポートし、筋肉や腱が外側に押し出されることを抑制することができ、バネ用鋼線（１）が戻ろうとする力により、ストレッチ効果を筋肉や腱に与えて、筋肉や腱が縮むことを抑制することができるようになる。又、長尺状のサポータとしたことで、幅広い部位をサポートすることができ、サポータ同士をつないで、より綿密に身体に合わせて装着することができるため、体幹と腕、肩甲骨と腕、体幹と脚など、つなぐ役割を担い、筋肉や腱の負担の大きい部位もサポートできるようになる。又、腱の一方の末端である手足や手足の指をサポートすることも可能であるため、つながる多くの筋肉や腱のこりをほぐすことができるようになる。【００２６】［３］本発明の加圧と指圧とストレッチができるサポータ（１２，１３）によれば、サポータ主体部（９）が、「バネ用鋼線（１）として１本又は複数本のバネ用鋼線をチューブ部材（３）に通した後、衝撃吸収材（２）で覆った複合バネ構造（５���」の１本又は複数本をさらに弾性素材（７）で覆った構造を有することから、高弾性を備えたバネ用鋼線（１）をチューブ部材（３）に通した後、衝撃吸収材（２）で覆うことで、皮膚に当てたときの感触が指先の骨のようになるため、前記サポータを身体に巻きつけて装着した状態で身体を動かすことにより、バネ用鋼線（１）の刺激が指圧効果となり、筋肉や腱のこりに働きかけると同時に、バネ用鋼線（１）の高弾性が加圧効果となり、強力に関節をサポートし、筋肉や腱が外側に押し出されることを抑制することができ、バネ用鋼線（１）が戻ろうとする力により、ストレッチ効果を筋肉や腱に与えて、筋肉や腱が縮むことを抑制することができるようになる。又、長尺状のサポータとしたことで、幅広い部位をサポートすることができ、サポータ同士をつないで、より綿密に身体に合わせて装着することができるため、体幹と腕、肩甲骨と腕、体幹と脚など、つなぐ役割を担い、筋肉や腱の負担の大きい部位もサポートできるようになる。又、腱の一方の末端である手足や手足の指をサポートすることも可能であるため、つながる多くの筋肉や腱のこりをほぐすことができるようになる。【００２７】  ［４］本発明の加圧と指圧とストレッチができるサポータ（１４）によれば、サポータ主体部（１０）が、「バネ用鋼線（１）として１本又は複数本のバネ用鋼線をチューブ部材（３）に通した複合バネ構造（６）」の１本又は複数本をさらに弾性素材（７）で覆った構造を有することから、高弾性を備えたバネ用鋼線（１）をチューブ部材（３）に通すことで、皮膚に当てたときの感触が指先の骨のようになるため、サポータを身体に巻きつけて装着した状態で身体を動かすことにより、バネ用鋼線（１）の刺激が指圧効果となり、筋肉や腱のこりに働きかけると同時に、バネ用鋼線（１）の高弾性が加圧効果となり、強力に関節をサポートし、筋肉や腱が外側に押し出されることを抑制することができ、バネ用鋼線（１）が戻ろうとする力により、ストレッチ効果を筋肉や腱に与えて、筋肉や腱が縮むことを抑制することができるようになる。又、長尺状のサポータとしたことで、幅広い部位をサポートすることができ、サポータ同士をつないで、より綿密に身体に合わせて装着することができるため、体幹と腕、肩甲骨と腕、体幹と脚など、つなぐ役割を担い、筋肉や腱の負担の大きい部位もサポートできるようになる。又、腱の一方の末端である手足や手足の指をサポートすることも可能であるため、つながる多くの筋肉や腱のこりをほぐすことができるようになる。【００２８】  ［５］本発明の加圧と指圧とストレッチができるサポータ（１１，１２，１３，１４）によれば、サポータ主体部（８、９、１０）の一端側に取り付けられた、「リング状部材（１８ａ）」を一端側に取り付けることで、サポータを折り返すことができるため、力加減ができ、締め付けやすくすることができる（後述する図１、図２、図３及び図４の（ｄ）〜（ｇ）参照。）。また、「サスペンダークリップ（２５）」を一端側に取り付けることで、サポータ同士をつなぎやすくすることができる。（後述する図１、図２、図３及び図４の（ｈ）参照。）。また、「裏面にループとフック二つの機能を有する面ファスナー（１７）が配設された伸縮性ベルト（１９）」を一端側に取り付けることで、任意の場所でサポータの一端を止めることができる（後述する図１、図２、図３及び図４の（ｉ）及び（ｊ）参照。）。また、「除々に縮径するリング状部材（１８ａ）」又は「弾性素材によるリング状部材（１８ｂ）」は、中に複合バネ構造（４、５、６）が入っていないので、サポータの一端側に取り付けることで、サポータの一端側を輪にして、部位の太さに応じて締め付けることができるため、片手で装着しにくい手首や腕なども装着しやすくすることができる（後述する図１、図２、図３及び図４の（ｋ）及び（ｌ）参照。）。
また、本発明の加圧と指圧とストレッチができるサポータ（１１，１２，１３，１４）によれば、「他端側に取り付けられた伸縮性ベルト（１９）及び当該伸縮性ベルト（１９）とともに使用するクリップ（２１）」又は「前記サポータ主体部（８、９、１０）の他端側に取り付けられた伸縮性ベルト（１９）及び当該伸縮性ベルト（１９）とともに使用する『裏面にループとフック二つの機能を有する面ファスナー（１７）が配設されたテープ状止具（２４）』」を他端側に用いることで、首や肩などの装着しにくい部位においても、任意の場所でサポータを止めることができる（後述する図１、図２、図３及び図４の（ｄ）、（ｆ）及び（ｊ）参照。）。また、「他端側に取り付けられ、裏面にツメ止具（２０）が配設された伸縮性ベルト（１９）」を他端側に用いることで、面ファスナーでなくても任意の場所でサポータを止めることができる（後述する図１、図２、図３及び図４の（ｅ）及び（ｋ）参照。）。また、「他端側に取り付けられ、裏面にループとフック二つの機能を有する面ファスナー（１７）が配設された伸縮性ベルト（１９）」を他端側に用いることで、任意の場所でサポータを止めることができる（後述する図１、図２、図３及び図４の（ｇ）、（ｈ）、（ｉ）及び（ｌ）参照。）。裏面にループとフック二つの機能を有する面ファスナー（１７）が配設された伸縮性ベルト（１９）」を両端に用いることで、多くの場所に適応し、任意の場所でサポータを止めることができる（後述する図１、図２、図３及び図４の（ｉ）参照。）。【００２９】［６］本発明の加圧と指圧とストレッチができるサポータ（１１，１２，１３，１４）によれば、弾性素材（７）が面ファスナーからなることから、任意の場所でサポータを止めることができる（後述する図１、図２、図３及び図４の（ｆ）、（ｇ）、（ｈ）、（ｉ）、（ｊ）及び（ｌ）参照。）。【００３０】［７］本発明の加圧と指圧とストレッチができるサポータ（１１，１２，１３，１４）によれば、面ファスナーが非伸縮性ループ状面ファスナーであることから、任意の場所でサポータを止めることができる（後述する図１、図２、図３及び図４の（ｆ）、（ｇ）、（ｈ）、（ｉ）、（ｊ）及び（ｌ）参照。）。【００３１】［８］本発明の加圧と指圧とストレッチができるサポータによれば、痛みやこりが強い箇所に装着し圧力を調整するための、衝撃吸収材（２）と弾性素材（例えば皿バネ（２２））入りのパット（２３）をさらに備えることから、圧力が調整できるため、筋肉や腱にかかる負担を軽くし、筋肉や腱が緊張して縮み、神経を圧迫することにより起こる痛みや変形を改善することができる。【００３２】  また、本発明の加圧と指圧とストレッチができるサポータ（１１，１２，１３，１４）によれば、サポータを巻きつけて装着した状態で身体を動かすことにより、バネ用鋼線（１）の高弾性による刺激が筋肉や腱に指圧効果を与えるため、机やベッドや柱など、体重をかけても不安定にならない場所にサポータをかけて、身体をサポータ（１１，１２，１３，１４）に当てながら動かすことにより、バネ用鋼線（１）による刺激が身体に伝わり、気がついていなかったこりを実感することができるため、原因がわからない不���からくるストレスを解消することもできる（後述する図１０参照。）。【００３３】  なお、本発明の加圧と指圧とストレッチができるサポータ（１１，１２，１３，１４）を使用するにあたっては、ベルト通しを設けた衣類を併用すると、足の付け根など疲労がたまりやすく、筋肉や腱の負担が大きい大腰筋などのサポートしにくい部位をサポートすることができ、腰など複数サポータを装着する場合には、着脱の手間を省く効果がある。【００３４】  これらの効果を長く体験することにより身体の痛み、ゆがみ、関節の変形を改善．予防することができる。
【図面の簡単な説明】
【００３５】
【図１】サポータ（１１）の構造及びサポータ本体の形状を説明するために示す図である。
【図２】サポータ（１２）の構造及びサポータ本体の形状を説明するために示す図である。
【図３】サポータ（１３）の構造及びサポータ本体の形状を説明するために示す図である。
【図４】サポータ（１４）の構造及びサポータ本体の形状を説明するために示す図である。
【図５】「除々に縮径するリング状部材（１８ａ）」及び「弾性素材によるリング状部材（１８ｂ）」の構造及び形状を説明するために示す図である。
【図６】パット（２３）の構造及び形状を説明するために示す図である。
【図７】サポータ装着例の全体図を前方より見た図及びサポータ（１１、１２、１３、１４、）の実施例を説明するために示す図である。
【図８】サポータ装着例の全体図を後方より見た図である。
【図９】サポータ（１１、１２）の実施例を説明するために示す図（図９（ａ）及び（ｂ））及びゴムパッチン（２７）の構造及び形状を説明するために示す図（図９（ｃ））である。
【図１０】サポータ（１１、１２、１３、１４、）を身体に装着せずに、こりを実感し、ほぐす実施例を示す図である。
【発明を実施するための形態】
【００３６】本発明の実施の形態を、図１〜５に示したサポータ（１１、１２、１３、１４、）の構造と、図７〜９に示した装着例に基づいて説明する。
【００３７】  図１は、サポータ（１１）の構造及びサポータ本体の形状を説明するために示す図である。図１（ａ）はサポータ内部の複合バネ構造（４）の断面図であり、図１（ｂ）はサポータ内部の複合バネ構造（４）の斜視図であり、図１（ｃ）はサポータ主体部（８）の斜視図である。
【００３８】  図１（ｄ）はサポータ主体部（８）の一端側にリング状部材（１８ａ）を、他端側に伸縮性ベルト（１９）とクリップ（２１）を備えたサポータ（１１）の斜視図である。図１（ｅ）はサポータ主体部（８）の一端側にリング状部材（１８ａ）を、他端側裏面に止具（ツメ止具（２０））が配設された伸縮性ベルト（１９）を備えるサポータ（１１）の斜視図である。図１（ｆ）はサポータ主体部（８）が弾性素材（７）からなる非伸縮性ループ状面ファスナー（１６）で覆われており、サポータ主体部（８）の一端側にリング状部材（１８ａ）を、他端側に伸縮性ループ状面ファスナー（１５）からなる伸縮性ベルト（１９）と裏面にループとフック二つの機能を有する面ファスナー（１７）が配設されたテープ状止具（２４）を備えたサポータ（１１）の斜視図である。
【００３９】  図１（ｇ）はサポータ主体部（８）が弾性素材（７）からなる非伸縮性ループ状面ファスナー（１６）で覆われており、サポータ主体部（８）の一端側にリング状部材（１８ａ）を、他端側に裏面にループとフック二つの機能を有する面ファスナー（１７）が配設された伸縮性ループ状面ファスナー（１５）からなる伸縮性ベルト（１９）を備えるサポータ（１１）の斜視図である。図１（ｈ）はサポータ主体部（８）が弾性素材（７）からなる非伸縮性ループ状面ファスナー（１６）で覆われており、サポータ主体部（８）の一端側にサスペンダークリップ（２５）を、他端側に裏面にループとフック二つの機能を有する面ファスナー（１７）が配設された伸縮性ループ状面ファスナー（１５）からなる伸縮性ベルト（１９）を備えるサポータ（１１）の斜視図である。図１（ｉ）はサポータ主体部（８）が弾性素材（７）からなる非伸縮性ループ状面ファスナー（１６）で覆われており、サポータ主体部（８）の両端に裏面にループとフック二つの機能を有する面ファスナー（１７）が配設された伸縮性ループ状面ファスナー（１５）からなる伸縮性ベルト（１９）を備えるサポータ（１１）の斜視図である。
【００４０】  図１（ｊ）はサポータ主体部（８）が弾性素材（７）からなる非伸縮性ループ状面ファスナー（１６）で覆われており、サポータ主体部（８）の一端側に裏面にループとフック二つの機能を有する面ファスナー（１７）が配設された伸縮性ループ状面ファスナー（１５）からなる伸縮性ベルト（１９）を備え、他端側に伸縮性ループ状面ファスナー（１５）からなる伸縮性ベルト（１９）と裏面にループとフック二つの機能を有する面ファスナー（１７）が配設されたテープ状止具（２４）を備えたサポータ（１１）の斜視図である。図１（ｋ）はサポータ主体部（８）の一端側に，除々に縮径するリング状部材（１８ａ）を、他端側に裏面に止具（ツメ止具（２０））が配設された伸縮性ベルト（１９）を備えるサポータ（１１）の斜視図である。図１（ｌ）はサポータ主体部（８）が弾性素材（７）からなる非伸縮性ループ状面ファスナー（１６）で覆われており、サポータ主体部（８）の一端側に、「弾性素材によるリング状部材（１８ｂ）」を備え、他端側に裏面にループとフック二つの機能を有する面ファスナー（１７）が配設された伸縮性ループ状面ファスナー（１５）からなる伸縮性ベルト（１９）を備えるサポータ（１１）の斜視図である。
【００４１】  「サスペンダークリップ」（２５）とは、本来ズボンを固定するベルトに取り付けるクリップであるが、ここではサポータ同士をつなぐ役割に使用している。「ループ状面ファスナー」とは、例えばクラレファスニング社株式会社が販売している面ファスナーで、フック状に起毛された側の面ファスナーとループ状に密集して起毛された側の面ファスナーのうち、後者のことである。「ループとフック二つの機能を有する面ファスナー」（１７）とは、例えばクラレファスニング社株式会社が販売している面ファスナーで、フックとループ両方が植え込まれており、フック面とループ面との区別のないタイプの面ファスナーのことである。
【００４２】  図２は、サポータ（１２）の構造及びサポータ本体の形状を説明するために示す図である。図２（ａ）はサポータ内部の複合バネ構造（５）の断面図であり、図２（ｂ）はサポータ内部の複合バネ構造（５）の斜視図であり、図２（ｃ）はサポータ主体部（９）の斜視図である。
【００４３】  図２（ｄ）はサポータ主体部（９）の一端側にリング状部材（１８ａ）を、他端側に伸縮性ベルト（１９）とクリップ（２１）を備えたサポータ（１２）の斜視図である。図２（ｅ）はサポータ主体部（９）の一端側にリング状部材（１８ａ）を、他端側裏面に止具（ツメ止具（２０））が配設された伸縮性ベルト（１９）を備えるサポータ（１２）の斜視図である。図２（ｆ）はサポータ主体部（９）が弾性素材（７）からなる非伸縮性ループ状面ファスナー（１６）で覆われており、サポータ主体部（９）の一端側にリング状部材（１８ａ）を、他端側に伸縮性ループ状面ファスナー（１５）からなる伸縮性ベルト（１９）と裏面にループとフック二つの機能を有する面ファスナー（１７）が配設されたテープ状止具（２４）を備えたサポータ（１２）の斜視図である。
【００４４】  図２（ｇ）はサポータ主体部（９）が弾性素材（７）からなる非伸縮性ループ状面ファスナー（１６）で覆われており、サポータ主体部（９）の一端側にリング状部材（１８ａ）を、他端側に裏面にループとフック二つの機能を有する面ファスナー（１７）が配設された伸縮性ループ状面ファスナー（１５）からなる伸縮性ベルト（１９）を備えるサポータ（１２）の斜視図である。図２（ｈ）はサポータ主体部（９）が弾性素材（７）からなる非伸縮性ループ状面ファスナー（１６）で覆われており、サポータ主体部（９）の一端側にサスペンダークリップ（２５）を、他端側に裏面にループとフック二つの機能を有する面ファスナー（１７）が配設された伸縮性ループ状面ファスナー（１５）からなる伸縮性ベルト（１９）を備えるサポータ（１２）の斜視図である。図２（ｉ）はサポータ主体部（９）が弾性素材（７）からなる非伸縮性ループ状面ファスナー（１６）で覆われており、サポータ主体部（９）の両端に裏面にループとフック二つの機能を有する面ファスナー（１７）が配設された伸縮性ループ状面ファスナー（１５）からなる伸縮性ベルト（１９）を備えるサポータ（１２）の斜視図である。
【００４５】  図２（ｊ）はサポータ主体部（９）が弾性素材（７）からなる非伸縮性ループ状面ファスナー（１６）で覆われており、サポータ主体部（９）の一端側に裏面にループとフック二つの機能を有する面ファスナー（１７）が配設された伸縮性ループ状面ファスナー（１５）からなる伸縮性ベルト（１９）を備え、他端側に伸縮性ループ状面ファスナー（１５）からなる伸縮性ベルト（１９）と裏面にループとフック二つの機能を有する面ファスナー（１７）が配設されたテープ状止具（２４）を備えたサポータ（１２）の斜視図である。図２（ｋ）はサポータ主体部（９）の一端側に、除々に縮径するリング状部材（１８ａ）を、他端側に裏面に止具（ツメ止具（２０））が配設された伸縮性ベルト（１９）を備えるサポータ（１２）の斜視図である。図２（ｌ）はサポータ主体部（９）が弾性素材（７）からなる非伸縮性ループ状面ファスナー（１６）で覆われており、サポータ主体部（９）の一端側に、「弾性素材によるリング状部材（１８ｂ）」を備え、他端側に裏面にループとフック二つの機能を有する面ファスナー（１７）が配設された伸縮性ループ状面ファスナー（１５）からなる伸縮性ベルト（１９）を備えるサポータ（１２）の斜視図である。
【００４６】  図３は、サポータ（１３）の構造及びサポータ本体の形状を説明するために示す図である。図３（ａ）はサポータ内部の複合バネ構造（５）の断面図であり、図３（ｂ）はサポータ内部の複合バネ構造（５）の斜視図であり、図３（ｃ）はサポータ主体部（９）の斜視図である。
【００４７】  図３（ｄ）はサポータ主体部（９）の一端側にリング状部材（１８ａ）を、他端側に伸縮性ベルト（１９）とクリップ（２１）を備えたサポータ（１３）の斜視図である。図３（ｅ）はサポータ主体部（９）の一端側にリング状部材（１８ａ）を、他端側裏面に止具（ツメ止具（２０））が配設された伸縮性ベルト（１９）を備えるサポータ（１３）の斜視図である。図３（ｆ）はサポータ主体部（９）が弾性素材（７）からなる非伸縮性ループ状面ファスナー（１６）で覆われており、サポータ主体部（９）の一端側にリング状部材（１８ａ）を、他端側に伸縮性ループ状面ファスナー（１５）からなる伸縮性ベルト（１９）と裏面にループとフック二つの機能を有する面ファスナー（１７）が配設されたテープ状止具（２４）を備えたサポータ（１３）の斜視図である。
【００４８】  図３（ｇ）はサポータ主体部（９）が弾性素材（７）からなる非伸縮性ループ状面ファスナー（１６）で覆われており、サポータ主体部（９）の一端側にリング状部材（１８ａ）を、他端側に裏面にループとフック二つの機能を有する面ファスナー（１７）が配設された伸縮性ループ状面ファスナー（１５）からなる伸縮性ベルト（１９）を備えるサポータ（１３）の斜視図である。図３（ｈ）はサポータ主体部（９）が弾性素材（７）からなる非伸縮性ループ状面ファスナー（１６）で覆われており、サポータ主体部（９）の一端側にサスペンダークリップ（２５）を、他端側に伸縮性ループ状面ファスナー（１５）からなる伸縮性ベルト（１９）と裏面にループとフック二つの機能を有する面ファスナー（１７）が配設された伸縮性ループ状面ファスナー（１５）からなる伸縮性ベルト（１９）を備えるサポータ（１３）の斜視図である。図３（ｉ）はサポータ主体部（９）が弾性素材（７）からなる非伸縮性ループ状面ファスナー（１６）で覆われており、サポータ主体部（９）の両端に裏面にループとフック二つの機能を有する面ファスナー（１７）が配設された伸縮性ループ状面ファスナー（１５）からなる伸縮性ベルト（１９）を備えるサポータ（１３）の斜視図である。
【００４９】  図３（ｊ）はサポータ主体部（９）が弾性素材（７）からなる非伸縮性ループ状面ファスナー（１６）で覆われており、サポータ主体部（９）の一端側に裏面にループとフック二つの機能を有する面ファスナー（１７）が配設された伸縮性ループ状面ファスナー（１５）からなる伸縮性ベルト（１９）を備え、他端側に伸縮性ループ状面ファスナー（１５）からなる伸縮性ベルト（１９）と裏面にループとフック二つの機能を有する面ファスナー（１７）が配設されたテープ状止具（２４）を備えたサポータ（１３）の斜視図である。図３（ｋ）はサポータ主体部（９）の一端側に、除々に縮径するリング状部材（１８ａ）を、他端側に裏面に止具（ツメ止具（２０））が配設された伸縮性ベルト（１９）を備えるサポータ（１３）の斜視図である。図３（ｌ）はサポータ主体部（９）が弾性素材（７）からなる非伸縮性ループ状面ファスナー（１６）で覆われており、サポータ主体部（９）の一端側に、「弾性素材によるリング状部材（１８ｂ）」を備え、他端側に裏面にループとフック二つの機能を有する面ファスナー（１７）が配設された伸縮性ループ状面ファスナー（１５）からなる伸縮性ベルト（１９）を備えるサポータ（１３）の斜視図である。
【００５０】  図４は、サポータ（１４）の構造及びサポータ本体の形状を説明するために示す図である。図４（ａ）はサポータ内部の複合バネ構造（６）の断面図であり、図４（ｂ）はサポータ内部の複合バネ構造（６）の斜視図であり、図４（ｃ）はサポータ主体部（１０）の斜視図である。
【００５１】  図４（ｄ）はサポータ主体部（１０）の一端側にリング状部材（１８ａ）を、他端側に伸縮性ベルト（１９）とクリップ（２１）を備えたサポータ（１４）の斜視図である。図４（ｅ）はサポータ主体部（１０）の一端側にリング状部材（１８ａ）を、他端側裏面に止具（ツメ止具（２０））が配設された伸縮性ベルト（１９）を備えるサポータ（１４）の斜視図である。図４（ｆ）はサポータ主体部（１０）が弾性素材（７）からなる非伸縮性ループ状面ファスナー（１６）で覆われており、サポータ主体部（１０）の一端側にリング状部材（１８ａ）を、他端側に伸縮性ループ状面ファスナー（１５）からなる伸縮性ベルト（１９）と裏面にループとフック二つの機能を有する面ファスナー（１７）が配設されたテープ状止具（２４）を備えたサポータ（１４）の斜視図である。
【００５２】  図４（ｇ）はサポータ主体部（１０）が弾性素材（７）からなる非伸縮性ループ状面ファスナー（１６）で覆われており、サポータ主体部（１０）の一端側にリング状部材（１８ａ）を、他端側に裏面にループとフック二つの機能を有する面ファスナー（１７）が配設された伸縮性ループ状面ファスナー（１５）からなる伸縮性ベルト（１９）を備えるサポータ（１４）の斜視図である。図４（ｈ）はサポータ主体部（１０）が弾性素材（７）からなる非伸縮性ループ状面ファスナー（１６）で覆われており、サポータ主体部（１０）の一端側にサスペンダークリップ（２５）を、他端側に裏面にループとフック二つの機能を有する面ファスナー（１７）が配設された伸縮性ループ状面ファスナー（１５）からなる伸縮性ベルト（１９）を備えるサポータ（１４）の斜視図である。図４（ｉ）はサポータ主体部（１０）が弾性素材（７）からなる非伸縮性ループ状面ファスナー（１６）で覆われており、サポータ主体部（１０）の両端に裏面にループとフック二つの機能を有する面ファスナー（１７）が配設された伸縮性ループ状面ファスナー（１５）からなる伸縮性ベルト（１９）を備えるサポータ（１４）の斜視図である。
【００５３】  図４（ｊ）はサポータ主体部（１０）が弾性素材（７）からなる非伸縮性ループ状面ファスナー（１６）で覆われており、サポータ主体部（１０）の一端側に裏面にループとフック二つの機能を有する面ファスナー（１７）が配設された伸縮性ループ状面ファスナー（１５）からなる伸縮性ベルト（１９）を備え、他端側に伸縮性ループ状面ファスナー（１５）からなる伸縮性ベルト（１９）と裏面にループとフック二つの機能を有する面ファスナー（１７）が配設されたテープ状止具（２４）を備えたサポータ（１４）の斜視図である。図４（ｋ）はサポータ主体部（１０）の一端側に、除々に縮径するリング状部材（１８ａ）を、他端側に裏面に止具（ツメ止具（２０））が配設された伸縮性ベルト（１９）を備えるサポータ（１４）の斜視図である。図４（ｌ）はサポータ主体部（１０）が弾性素材（７）からなる非伸縮性ループ状面ファスナー（１６）で覆われており、サポータ主体部（１０）の一端側に、「弾性素材によるリング状部材（１８ｂ）」を備え、他端側に裏面にループとフック二つの機能を有する面ファスナー（１７）が配設された伸縮性ループ状面ファスナー（１５）からなる伸縮性ベルト（１９）を備えるサポータ（１４）の斜視図である。
【００５４】  図５は、「除々に縮径するリング状部材（１８ａ）」又は「弾性素材によるリング状部材（１８ｂ）」の構造及び形状を説明するために示す図である。
【００５５】  図６は、パット（２３）の構造及び形状を説明するために示す図である。
【００５６】  図７は、サポータ装着例の全体図を前方より見た図及びサポータ（１１、１２、１３、１４）の実施例を説明するために示す図である。図８は、サポータ装着例の全体図を後方より見た図である。図７及び図８においては、サポータ１２（図２（ｊ））を首にらせん状に巻きつけ、裏面にループとフック二つの機能を有する面ファスナー（１７）が配設されたテープ状止具（２４）で留めた図を示している。この図においては、パット（２３）も首側面に装着した状態で示されている。
【００５７】  図７及び図８においては、サポータ１１（図１（ｄ））を肩にたすきがけし、リング状部材（１８ａ）で折り返し、クリップ（２１）で留めた図も示している。
【００５８】  図７及び図８においては、ベルト通し（２８）が設けられた衣類（２６）の上から腰の縦方向に、サポータ１１（図１（ｈ））の一端側のサスペンダークリップ（２５）を後方のサポータに止め、他端側をあらかじめ前方のサポータに留めていたサスペンダークリップ（２５）で折り返して留めた図も示している。
【００５９】  図７及び図８においては、左手首にサポータ１２（図２（ｋ））をらせん状に巻きつけて留めた図、右手中指にサポータ１４（図４（ｋ））をらせん状に巻きつけて留めた図、又は、右太ももにサポータ１３（図３（ｇ））をベルト通し（２８）が設けられた衣類（２６）の上から装着した図も示している。また、図７及び図８においては、サポータ１１（図１（ｉ））を右足首と甲にクロスさせながら装着した図も示している。この図においては、パット（２３）も土踏まずに装着した状態で示されている。
【００６０】  図９は、サポータ（１１、１２）の実施例を説明するために示す図及びゴムパッチン（２７）の構造及び形状を説明するために示す図である。図９（ａ）はサポータ１２（図２（ｋ））を親指のつけねのこりと同時に手首や指の腱の緊張をほぐすための装着例を手の表と裏から見た図であり、同時にパット（２３）を装着した図である。図９（ｂ）はサポータ１１（図１（ｉ））を足首と足の甲にクロスさせながら巻きつけると同時にパット（２３）を装着した図である。図９（ｃ）は伸縮性ベルト（１９）に止具（ツメ止具（２０））を配設する際に用いられたほうが好ましいゴムパッチン（２７）の形状を示した図である。
【００６１】  ここで、「ゴムパッチン」（２７）とは、内部にツメを備え、ゴムの端と端をつなぎ、アームバンドやお弁当箱止めに使用される、例えば川村製紐工業株式会社の製品であるが、ここでは止具（ツメ止具（２０））と伸縮性ベルト（１９）をつなぐ役割に使用している。ゴムパッチン（２７）を用いることで、止具（ツメ止具（２０））の交換ができるので、サポータの長期の使用にも耐えることができる。
【００６２】  図１０は、サポータ（１１、１２、１３、１４）を身体に当てて、こりを実感し、ほぐす実施例を示す図である。
【００６３】  発明を実施するための形態において、本発明の加圧と指圧とストレッチができるサポータは、バネ用鋼線（１）を内部に含むサポータ主体部を備え、動きを制限しない程度の伸縮性を備えて身体に巻きつけさえすれば良いので、サポータ本体の形状はこの限りではない。バネ用鋼線（１）は、すべて端の処理済のものである。バネ用鋼線（１）の本数や長さは仮とする。また、発明を実施するための形態は、装着例の一部の実施例とする。
【００６４】  図２を参照して、首に装着するサポータ１２（図２（ｊ））は、首まわり５周するほどの長さのバネ用鋼線（１）を３本、チューブ部材（例えばシリコーンチューブ）（３）に通し、衝撃吸収材（例えばウレタンシート）（２）で覆った後、弾性素材（例えばポリエステル生地、綿生地、絹生地など）（７）からなる非伸縮性ループ状面ファスナー（１６）で覆い、サポータ主体部（９）を形成する。サポータ主体部（９）に取り付けるものとして、裏面にループとフック二つの機能を有する面ファスナー（１７）が配設された伸縮性ループ状面ファスナー（１５）からなる伸縮性ベルト（１９）を１本と、伸縮性ループ状面ファスナー（１５）からなる伸縮性ベルト（１９）１本と、裏面にループとフック二つの機能を有する面ファスナー（１７）が配設されたテープ状止具（２４）を用意する。
【００６５】  図７を参照して、サポータ１２（図２（ｊ））を首周りに装着する。首にサポータ１２（図２（ｊ））を巻きつけたら、一端側をとめて、さらに巻きつけた後任意の場所で裏面にループとフック二つの機能を有する面ファスナー（１７）が配設されたテープ状止具（２４）にてとめる。痛みがある部位はパット（２３）を装着しても良い。この場合、パット（２３）には、衝撃吸収材（２）と弾性素材（例えば皿ばね（２２））が入っているものを用いることが好ましい。首をサポートすることで、首とつながる多くの筋肉や腱の緊張をほぐすことができる。
【００６６】  図１を参照して、足首から足の甲に装着するサポータ１１（図１（ｉ））は、例えば１メートル２０センチメートルの長さのバネ用鋼線（１）を３本、衝撃吸収材（例えばウレタンシート）（２）で覆った後、弾性素材（例えばポリエステル生地、綿生地、絹生地など）（７）からなる非伸縮性ループ状面ファスナー（１６）で覆い、サポータ主体部（８）を形成する。サポータ主体部（８）に取り付けるものとして、裏面にループとフック二つの機能を有する面ファスナー（１７）が配設された伸縮性ループ状面ファスナー（１５）からなる伸縮性ベルト（１９）を２本用意する。
【００６７】  図７及び図９（ｂ）を参照して、サポータ１１（図１（ｉ））を足首に巻きつけたら一端側をとめて、足の甲と足首をクロスさせながらつなぎ、指の付け根付近にも回した後、適当なところで止める。足の底の腱や、指を持ち上げる腱など多くの腱の緊張をほぐすことができる。サポータ１１（図１（ｉ））を装着しながら歩くと、青竹踏み効果と同じく、血行も良くなり、しいては全身の体調を良くする効果がある。同じサポータ１１（図１（ｉ））を、足首にらせん状に巻きつけて寝ると、夜起きやすいこむら返りを、バネが戻ろうとする力によるストレッチ効果でおきにくくすることができる。
【００６８】  図３を参照して、サポータ１３（図３（ｇ））は、太もも周りより５センチメートルほど短い長さのバネ用鋼線（１）を３本ずつ、チューブ部材（例えばシリコーンチューブ）（３）に通したものを３本、衝撃吸収材（例えばウレタンシート）（２）で覆った後、弾性素材（例えばポリエステル生地、綿生地、絹生地など）（７）からなる非伸縮性ループ状面ファスナー（１６）で覆い、サポータ主体部（９）を形成する。サポータ主体部（９）に取り付けるものとして、リング状部材（１８ａ）、裏面にループとフック二つの機能を有する面ファスナー（１７）が配設された伸縮性ループ状面ファスナー（１５）からなる伸縮性ベルト（１９）を用意する。
【００６９】  図７を参照して、サポータ１３（図３（ｇ））を太ももに装着する。ベルト通し（２８）が設けられた衣類（２６）を用いても良い。腱や筋肉の負担が大きい部位なのでパット（２３）を装着しても良い。
【００７０】  図４を参照して、手や足の指に装着するサポータ１４（図４（ｋ））は、例えば２０センチメートルの長さのバネ用鋼線（１）を１本、チューブ部材（例えばシリコーンチューブ）（３）に通し、弾性素材（例えばポリエステル生地、綿生地、絹生地など）（７）で覆ってサポ−タ主体部（（１０）を形成する。サポータ主体部（（１０）に取り付けるものとして、除々に縮径するリング状部材（１８ａ）、裏面に止具（ツメ止具（２０））が配設された伸縮性ベルト（１９）を用意する。
【００７１】  図５（ａ）及び図７を参照して、サポータ１４（図４（ｋ））は、らせん状もしくは関節にクロスさせるように装着する。指は腱の一方の末端であるため、サポータ１４（図４（ｋ））を装着して、指を開いたり握ったりの動作を繰り返すことにより、指の付け根の緊張をほぐすことができる。この際に、パット（２３）を使用し、さらにもう一方の手で握った指の上から圧をかけると、腱がさらに伸び、指とつながる多くの筋肉や腱もさらにほぐすことができる。
【符号の説明】
【００７２】１：バネ用鋼線
２：衝撃吸収材
３：チューブ部材
４：バネ用鋼線を衝撃吸収材で覆った複合バネ構造
５：バネ用鋼線をチューブ部材に通した後、衝撃吸収材で覆った複合バネ構造
６：バネ用鋼線をチューブ部材に通した複合バネ構造
７：弾性素材
８：４の複合バネ構造を弾性素材で覆ったサポータ主体部
９：５の複合バネ構造を弾性素材で覆ったサポータ主体部
１０：６の複合バネ構造を弾性素材で覆ったサポータ主体部
１１：８のサポータ主体部の一端側に、リング状部材もしくはサスペンダークリップ、又      は裏面にループとフック二つの機能を有する面ファスナー（１７）が配設された伸      縮性ベルト（１９）、又は除々に縮径するリング状部材（１８ａ）もしくは弾性素      材によるリング状部材（１８ｂ））を備えたサポータ
１２：９のサポータ主体部の一端側に、リング状部材もしくはサスペンダークリップ、又      は裏面にループとフック二つの機能を有する面ファスナー（１７）が配設された伸      縮性ベルト（１９）、又は除々に縮径するリング状部材（１８ａ）もしくは弾性素      材によるリング状部材（１８ｂ））を備えたサポータ
１３：（５の複合バネ構造が２本入りの）９のサポータ主体部の一端側に、リング状部材      もしくはサスペンダークリップ、又は裏面にループとフック二つの機能を有する面      ファスナー（１７）が配設された伸縮性ベルト（１９）、又は除々に縮径するリン      グ状部材（１８ａ）もしくは弾性素材によるリング状部材（１８ｂ））を備えたサ      ポータ
１４：１０のサポータ主体部の一端側に、リング状部材もしくはサスペンダークリップ、      又は裏面にループとフック二つの機能を有する面ファスナー（１７）が配設された      伸縮性ベルト（１９）、又は除々に縮径するリング状部材（１８ａ）もしくは弾性      素材によるリング状部材（１８ｂ））を備えたサポータ
１５：伸縮性ループ状面ファスナー
１６：非伸縮性ループ状面ファスナー
１７：ループとフック二つの機能を有する面ファスナー
１８：（１８ａ）リング状部材  （１８ｂ）弾性素材によるリング
１９：伸縮性ベルト
２０：止具（ツメ止具）
２１：止具（クリップ）
２２：弾性素材（例えば皿ばね）
２３：パット
２４：ループとフック二つの機能を有する面ファスナーが配設されたテープ状止具
２５：サスペンダークリップ
２６：ベルト通しが設けられた衣類
２７：ゴムパッチン
２８：ベルト通し
【要約】
【課題】こりを和らげ、関節にかかる負担を軽減させるとともに筋肉を鍛え、痛みや身体のゆがみ、関節の変形を改善・予防可能とするサポータを提供する。
【解決手段】バネ用鋼線（１）を内部に含むサポータ主体部（８）を備え、身体に巻き付けて装着することにより加圧と指圧とストレッチができるサポータ（１１）であって、サポータを身体に巻きつけて装着することにより、バネ用鋼線（１）が筋肉や腱に加圧効果を与え、筋肉や腱が外側に押し出されることを抑制し、サポータを身体に巻きつけて装着した状態で身体を動かすことにより、バネ用鋼線（１）の刺激が筋肉や腱に指圧効果を与えこりをほぐし、サポータを身体にらせん状に巻きつけて装着した際に、バネ用鋼線（１）が戻ろうとする力により、筋肉や腱が縮むことを抑制するストレッチ効果を与えるサポータ。
【選択図】図１【図１】
0005519855.tif 000002
【図２】
0005519855.tif 000003
【図３】
0005519855.tif 000004
【図４】
0005519855.tif 000005
【図５】
0005519855.tif 000006
【図６】
0005519855.tif 000007
【図７】
0005519855.tif 000008
【図８】
0005519855.tif 000009
【図９】
0005519855.tif 000010
【図１０】
0005519855.tif 000011